(57)【要約】【課題】吐水部品の突出部の小型化を図れる技術を提供する。【解決手段】吐水口に通じる水路が内部に形成される本体部４６と、本体部４６から突出する突出部４８と、水路を開閉可能な弁体１０２を有する弁機構１００と、突出部４８の少なくとも一部として設けられ、外力を受けて操作されることによって弁体１０２を作動させることが可能な操作部材６６と、を備え、弁機構１００は、操作部材６６により弁体１０２が作動させられることにより、弁体１０２を閉弁位置に保持する閉弁状態と、弁体１０２を開弁位置に保持する開弁状態とを切り替え可能な位置保持機構１２０を有し、位置保持機構１２０は、本体部４６に設けられる。【選択図】図４
2019027259.tif 000002
【特許請求の範囲】
【請求項１】
吐水口に通じる水路が内部に形成される本体部と、
前記本体部から突出する突出部と、
前記水路を開閉可能な弁体を有する弁機構と、
前記突出部の少なくとも一部として設けられ、外力を受けて操作されることによって前記弁体を作動させることが可能な操作部材と、を備え、
前記弁機構は、前記操作部材により前記弁体が作動させられることにより、前記弁体を閉弁位置に保持する閉弁状態と、前記弁体を開弁位置に保持する開弁状態とを切り替え可能な位置保持機構を有し、
前記位置保持機構は、前記本体部に設けられる吐水部品。
【請求項２】
前記本体部には、前記弁機構を収納する収納孔が形成され、
前記収納孔は、前記弁体を開閉方向にガイド可能であり、かつ、前記弁体の閉弁方向に開くとともに前記弁体の開弁方向に底部がある有底孔である請求項１に記載の吐水部品。
【請求項３】
前記本体部は、軸線方向に延びる水路形成部材を有し、
前記水路形成部材には、水路となる第１空洞が形成されるとともに前記弁機構を収納する第２空洞が形成され、
前記第１空洞及び前記第２空洞のそれぞれの中心は、前記水路形成部材の前記軸線方向に直交する断面において、前記水路形成部材の外形中心に対して偏心し、
前記水路形成部材には、前記第１空洞及び前記第２空洞のそれぞれに対して、その空洞が前記外形中心から偏心する方向に他の空洞が形成されていない請求項１または２に記載の吐水部品。
【請求項４】
前記位置保持機構は、
前記本体部及び前記弁体の一方に設けられるハートカム部と、
前記ハートカム部の周りに形成されるカム溝と、
前記本体部及び前記弁体の他方に対して一端部が回動可能に支持され、前記カム溝に沿って他端部が摺動可能なフォロアピンと、
前記弁体を閉弁方向に付勢する付勢部材と、を有するハートカム機構であり、
前記操作部材により前記弁体が開弁方向に動かされる度に、前記フォロアピンの他端部が前記ハートカム部と係合する係合位置と、前記フォロアピンの他端部の前記ハートカム部との係合が解除される係合解除位置との間を移動することによって、前記閉弁状態と前記開弁状態を切り替え可能である請求項１から３のいずれかに記載の吐水部品。
【請求項５】
請求項１から４のいずれかに記載の吐水部品を備える水栓装置。
【発明の詳細な説明】
【技術分野】
【０００１】
本発明は、吐水部品及びこれを用いた水栓装置に関する。
【背景技術】
【０００２】
従来より、吐水ヘッド、シャワーヘッド等の吐水部品には、吐水部品に内蔵される弁体を開弁位置や閉弁位置に保持可能な位置保持機構を組み込む場合がある。特許文献１には、この位置保持機構としてラッチ機構を用いたシャワーヘッドが開示されている。このシャワーヘッドは、水路が内部に形成される本体部と、本体部から突出する突出部とを有し、シャワーヘッドの突出部にラッチ機構が組み込まれている。
【先行技術文献】
【特許文献】
【０００３】
【特許文献１】特開２０１６−１６０５９２号公報
【発明の概要】
【発明が解決しようとする課題】
【０００４】
前述の本体部と突出部を有する吐水部品は、意匠性等の観点から突出部の小型化を要請される場合がある。本発明者は、このような要請に応えるうえで、特許文献１に記載の吐水部品に関して改良の余地があるとの認識を得た。
【０００５】
本発明のある態様は、このような課題に鑑みてなされ、その目的の１つは、吐水部品の突出部の小型化を図れる技術を提供することにある。
【課題を解決するための手段】
【０００６】
本発明の第１態様は吐水部品である。第１態様の吐水部品は、吐水口に通じる水路が内部に形成される本体部と、前記本体部から突出する突出部と、前記水路を開閉可能な弁体を有する弁機構と、前記突出部の少なくとも一部として設けられ、外力を受けて操作されることによって前記弁体を作動させることが可能な操作部材と、を備え、前記弁機構は、前記操作部材により前記弁体が作動させられることにより、前記弁体を閉弁位置に保持する閉弁状態と、前記弁体を開弁位置に保持する開弁状態とを切り替え可能な位置保持機構を有し、前記位置保持機構は、前記本体部に設けられる。
【０００７】
第１態様によれば、吐水部品の突出部に位置保持機構を設ける場合と比べ、その突出部に設けられる部品点数を削減できる。これにより、吐水ヘッドの突出部の小型化を図れる。
【図面の簡単な説明】
【０００８】
【図１】本実施形態の吐水装置の側面図である。
【図２】本実施形態の吐水装置の一部の拡大断面図である。
【図３】本実施形態の吐水ヘッドが装置本体から引き出された状態を示す図である。
【図４】本実施形態の吐水ヘッドの側面断面図である。
【図５】本実施形態の吐水ヘッドの分解図である。
【図６】図４のＡ−Ａ線断面図である。
【図７】本実施形態の第２水路形成部材及び第３水路形成部材内での水の流れ方を示す図である。
【図８】本実施形態の弁体を周辺構造とともに示す拡大図である。
【図９】本実施形態の操作ユニット、弁機構の動作を説明するための図である。
【図１０】図４のＢ−Ｂ線断面図である。
【図１１】図１１（ａ）は、第１参考例の第１水路形成部材を示す図であり、図１１（ｂ）は、第２参考例の第１水路形成部材を示す図である。
【図１２】図８と同じ視点から見た弁体や位置保持機構の外観を示す図である。
【図１３】本実施形態の位置保持機構の動作を説明するための図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の吐水装置１０の側面図である。本実施形態の吐水装置１０はキッチン等の流し台の表面に設置される。吐水装置１０は、給水源から給水路１２を通して送られる水を吐き出し可能である。
【００１１】
図２は、吐水装置１０の一部の拡大断面図である。吐水装置１０は、主に、装置本体１４と、給水ホース１６と、吐水ヘッド１８と、センサ部材２０とを備える。装置本体１４は、吐水ヘッド１８等を支持する役割を持つ。本実施形態の装置本体１４は吐水管２２等を用いて構成される。
【００１２】
図３は、吐水ヘッド１８が装置本体１４から引き出された状態を示す図である。図２、図３に示すように、装置本体１４は、吐水ヘッド１８を引き出し方向Ｐａに引き出し可能に保持するヘッド保持部１４ａを有する。吐水ヘッド１８は、給水ホース１６とともに装置本体１４から引き出される。ヘッド保持部１４ａは、吐水ヘッド１８との接触により吐水ヘッド１８の位置を保持する。ヘッド保持部１４ａは、吐水ヘッド１８の引き出し方向Ｐａの動きや、引き戻し方向Ｐａとは正反対の押し戻し方向Ｐｂの動きをガイド可能である。本実施形態のヘッド保持部１４ａは、吐水ヘッド１８を内部に収容する。本実施形態のヘッド保持部１４ａには、吐水ヘッド１８の引き出し及び押し戻しに伴い吐水ヘッド１８が出し入れされる出入口１４ｂが設けられる。ヘッド保持部１４ａには、出入口１４ｂが開口する開口面から押し戻し方向Ｐｂに延びるスリット状の切欠部１４ｃが形成される。
【００１３】
給水ホース１６は、フレキシブルホース等であり、可撓性を持つ素材を用いて構成される。給水ホース１６の内部には前述の給水路１２が形成される。
【００１４】
吐水ヘッド１８は、給水ホース１６の下流端部に接続される。吐水ヘッド１８は、給水ホース１６から流入する水を吐水口４２から吐き出し可能である。
【００１５】
センサ部材２０は、センサケースの内部に物体検知センサ２４等を収容して構成される。センサ部材２０は、ヘッド保持部１４ａの近傍にて装置本体１４に設けられたセンサ収容室１４ｄに収容される。本実施形態の物体検知センサ２４は、赤外線式測距センサ、つまり、光電センサである。物体検知センサ２４は、所定の検知エリア２４ａ内での被検知物の有無を検知可能である。物体検知センサ２４は、検知エリア２４ａ内で物体が検知されることを、吐水装置１０の動作状態を切り替えるための切替操作として受け付ける。物体検知センサ２４が切替操作を受けたとき、不図示の制御部は、給水路１２に設けられる開閉弁４０（図１も参照）を開閉するように制御する。これにより、吐水装置１０の動作状態が吐水状態と吐水停止状態の間で切り替えられる。このように、本実施形態の吐水装置１０は、使用者による切替操作を受けて吐水状態と吐水停止状態を切り替え可能な水栓装置として機能する。
【００１６】
図４は、吐水ヘッド１８の側面断面図であり、図５は、吐水ヘッド１８の分解図である。吐水ヘッド１８は、吐水流を吐き出すための吐水口４２が形成されるとともに吐水口４２に通じる水路が内部に形成される本体部４６と、本体部４６の外周部から突出する突出部４８とを有する。本実施形態の本体部４６は、全体として、後述する第１軸線方向Ｐｃに延びる柱状をなす。突出部４８は、吐水ヘッド１８を引き出す及び押し戻すときに使用者が持つ持ち手として機能する。突出部４８は、装置本体１４の切欠部１４ｃを通るように設けられる（図２参照）。
【００１７】
吐水ヘッド１８は、ケース部材５０と、水路形成ユニット５２と、操作ユニット５４とを有する。
【００１８】
ケース部材５０は、吐水ヘッド１８の外形の少なくとも一部を構成する。ケース部材５０は、筒状の第１ケース部５０ａと、第１ケース部５０ａの外周部から突き出る筒状の第２ケース部５０ｂとを有する。第１ケース部５０ａは吐水ヘッド１８の本体部４６の外形の一部を構成し、第２ケース部５０ｂは吐水ヘッド１８の突出部４８の外形の一部を構成する。ケース部材５０は中空構造であり、第１ケース部５０ａ及び第２ケース部５０ｂ内に一続きの内部空間が設けられる。吐水ヘッド１８の吐水口４２は第１ケース部５０ａの先端部に形成される。
【００１９】
第２ケース部５０ｂは、先端側に向かって開く有底筒状をなす。第２ケース部５０ｂは、先端側の開口部から奥側に延びる大内径部５０ｃと、大内径部５０ｃより奥側に設けられるとともに大内径部５０ｃより小径の小内径部５０ｄとを有する。第２ケース部５０ｂには、第１ケース部５０ａの内部空間と第２ケース部５０ｂの内部空間を隔てる底壁部５０ｅが設けられとともに、その底壁部５０ｅを貫通する挿通孔５０ｆが形成される。
【００２０】
以下、第１ケース部５０ａの中心軸線Ｌｃに沿った方向を第１軸線方向Ｐｃといい、その中心軸線Ｌｃを中心とする円の半径方向を第１径方向Ｐｅという。また、第２ケース部５０ｂの中心軸線に沿った方向を第２軸線方向Ｐｄという。なお、第１軸線方向Ｐｃは、本体部４６、第１水路形成部材６０、第２水路形成部材６２それぞれの中心軸線Ｌｃに沿った方向でもある。
【００２１】
水路形成ユニット５２は、吐水口４２に通じる水路を形成する複数の水路形成部材６０、６２、６４をユニット化したものである。水路形成ユニット５２は、ケース部材５０の第１ケース部５０ａ内に収容される。水路形成ユニット５２の基端部は第１ケース部５０ａとともに吐水ヘッド１８の本体部４６の外形を構成する。水路形成ユニット５２は、吐水ヘッド１８の本体部４６の一部として、その本体部４６の内部に設けられる。
【００２２】
操作ユニット５４は、操作部材６６を他部材とともにユニット化したものである。この操作部材６６は、外力を受けて操作されることによって、水路形成部材６０に内蔵される弁機構１００の弁体１０２を作動させることが可能である。操作ユニット５４は、ケース部材５０の第２ケース部５０ｂ内に収容される。操作ユニット５４は、吐水ヘッド１８の突出部４８に設けられる。操作ユニット５４は後述する。
【００２３】
複数の水路形成部材６０、６２、６４は、第１ケース部５０ａの第１軸線方向Ｐｃに直列に並べられ、隣り合う水路形成部材６０、６２、６４の間で接続される。複数の水路形成部材６０、６２、６４には、第１軸線方向Ｐｃの基端側から先端側にかけて順に第１水路形成部材６０、第２水路形成部材６２、第３水路形成部材６４が含まれる。
【００２４】
第１水路形成部材６０や第２水路形成部材６２は、第１軸線方向Ｐｃに延びる柱状をなす。第３水路形成部材６４は、第１軸線方向Ｐｃに延びる筒状部６４ａと、筒状部６４ａの先端部に設けられる板状の散水部６４ｂとを有する。散水部６４ｂには表裏を貫通する複数のシャワー孔６４ｃが形成される。
【００２５】
第１水路形成部材６０の基端部には、給水ホース１６がカプラ４４を介して接続される接続孔６０ｃが形成される。第１水路形成部材６０には、給水ホース１６から流入する水を通すための通水路８２が形成される。第１水路形成部材６０には、給水ホース１６から流入する水が衝突する障壁部８４が設けられる。障壁部８４は、通水路８２を上流側部分８２ａと下流側部分８２ｂに仕切る。図６は、図４のＡ−Ａ線断面図である。障壁部８４には、通水路８２の上流側部分８２ａと下流側部分８２ｂを連通する連通孔８６が形成される。図４では連通孔８６を通る水の通水方向Ｐｆを参考に示す。
【００２６】
図７は、第２水路形成部材６２及び第３水路形成部材６４内での水の流れ方を示す図である。第２水路形成部材６２及び第３水路形成部材６４には、第１水路形成部材６０の通水路８２内の水を複数のシャワー孔６４ｃに導くためのシャワー吐水用水路８８と、ストレート吐水用孔９０に導くためのストレート吐水用水路９２とが形成される。本図では、シャワー吐水用水路８８とストレート吐水用水路９２となる箇所での水の流れ方に矢印を付す。ストレート吐水用孔９０はケース部材５０と第３水路形成部材６４の間に形成される。
【００２７】
図４に戻る。吐水ヘッド１８は、ストレート吐水用水路９２を開閉可能な弁体１０２を有する弁機構１００を備える。弁機構１００は、第１水路形成部材６０に設けられる収納孔１０４に収納される。収納孔１０４は、弁体１０２を第１軸線方向Ｐａに沿った開閉方向Ｐｇにガイド可能である。この開閉方向Ｐｇのうちの一方は弁体１０２がストレート吐水用水路９２を開く方向であるである開弁方向Ｐｇ１となり、他方は弁体１０２がストレート吐水用水路９２を閉じる方向である閉弁方向Ｐｇ２となる。
【００２８】
弁体１０２は、全体として、開閉方向Ｐｇに延びる柱状をなす。弁体１０２は、後述のように、操作部材６６の押し込み操作により開弁方向Ｐｇ１に動くように作動させられる。弁体１０２は、ストレート吐水用水路９２の流入口部に設けられた弁座部１１２に対する接離を伴いストレート吐水用水路９２を開閉可能である。
【００２９】
弁機構１００は、弁体１０２の他に、位置保持機構１２０を有する。本実施形態の位置保持機構１２０は、ハートカム部、カム溝、フォロアピン等を用いたハートカム機構である。位置保持機構１２０は、弁体１０２が開弁方向Ｐｇ１に動くたびに、ストレート吐水用水路９２を閉じる閉弁位置に弁体１０２を保持する閉弁状態と、ストレート吐水用水路９２を開く開弁位置に弁体１０２を保持する開弁状態とが切り替え可能に構成される。位置保持機構１２０は、水路形成ユニット５２と同様、吐水ヘッド１８の本体部４６の内部に設けられる。位置保持機構１２０の詳細は後述する。
【００３０】
図７（ａ）に示すように、弁体１０２が閉弁状態にあるとき、給水ホース１６から通水路８２内に流入した水は、ストレート吐水用水路９２には流入せずにシャワー吐水用水路８８のみに流入する。シャワー吐水用水路８８に流入した水は、複数のシャワー孔６４ｃを通して吐水ヘッド１８の吐水口４２から複数の吐水流Ｗｆ１として吐き出される。
【００３１】
一方、図７（ｂ）に示すように、弁体１０２が開弁状態にあるとき、給水ホース１６から通水路８２内に流入した水は、ストレート吐水用水路９２とシャワー吐水用水路８８の両方に流入する。ストレート吐水用水路９２に流入した水とシャワー吐水用水路８８に流入した水は、複数のシャワー孔６４ｃやストレート吐水用孔９０を通して吐き出される過程で合流し、吐水ヘッド１８の吐水口４２から単数の吐水流Ｗｆ２として吐き出される。
【００３２】
図４に戻る。操作ユニット５４は、主に、操作部材６６と、支持部材１４０と、第２付勢部材１４２とを有する。操作部材６６等の操作ユニット５４の構成部品は、吐水ヘッド１８の突出部４８の一部として、その突出部４８の内部に設けられる。
【００３３】
操作部材６６は、第２軸線方向Ｐｄに沿って直線的に動作可能に設けられる。操作部材６６は、弁体１０２の開閉方向Ｐｇと交差する方向に沿って直線的に動作可能であるといえる。本実施形態の操作部材６６はロッドである。操作部材６６は、初期位置（図４の位置）から作動位置に向かう作動方向Ｐｈに動かされることによって、弁体１０２を作動させることが可能である。本実施形態の操作部材６６は、押し込み操作によって作動方向Ｐｈに動かされる。
【００３４】
操作部材６６は、第２ケース部５０ｂの先端開口部から突出する外力受け部６６ａを有する。操作部材６６の外力受け部６６ａは、吐水ヘッド１８の突出部４８の先端部から突出していると捉えられる。操作部材６６は、外力受け部６６ａに対して付与される外力を受けて作動方向Ｐｈに動かされる。
【００３５】
図８は、弁体１０２を周辺構造とともに示す拡大図である。図４、図８に示すように、操作部材６６は、外力受け部６６ａとは作動方向Ｐｈの反対側端部に設けられる頭部６６ｂを有する。頭部６６ｂは、外力受け部６６ａとの間で相対位置を変えることなく一体的に動くことが可能である。たとえば、両者は第２軸線方向Ｐｄの両側に一体的に動くことができるし、第２軸線方向Ｐｄの軸線周りに一体的に回転できる。
【００３６】
頭部６６ｂは、弁体１０２に形成される空洞部１０２ａ内に配置される。空洞部１０２ａは、操作部材６６の作動方向Ｐｈとは反対方向（図中下方向）を向く弁体１０２の外面に開口する。空洞部１０２ａには、開弁方向Ｐｇ１側の内壁面にて操作部材６６の頭部６６ｂが接触可能な傾斜面１０２ｂが形成される。傾斜面１０２ｂは、弁体１０２の閉弁方向Ｐｇ２に向かうにつれて作動方向Ｐｈに延びるように、弁体１０２の開閉方向Ｐｇに対して傾斜している。操作部材６６の頭部６６ｂが傾斜面１０２ｂに接触した状態で操作部材６６が作動方向Ｐｈに動くと、弁体１０２が開弁方向Ｐｇ１に押し動かされる。このように、弁体１０２は、操作部材６６の作動方向Ｐｈでの動きによって開弁方向Ｐｇ１に動かされるように構成される。
【００３７】
図４を参照する。支持部材１４０は、第２ケース部５０ｂに挿通される筒状をなし、スナップフィット構造等を用いて第２ケース部５０ｂに固定される。支持部材１４０には、操作部材６６が挿通される通孔１４０ａが形成され、支持部材１４０は、操作部材６６を第２軸線方向Ｐｄに沿って移動可能に支持する。通孔１４０ａには、操作部材６６の作動方向Ｐｈに向かう途中位置で拡径する拡径部１４０ｂが形成される。操作部材６６にはつば状のストッパ部６６ｃが設けられる。操作部材６６は、支持部材１４０の拡径部１４０ｂに設けられる段部にストッパ部６６ｃが当たることで、初期位置に止められる。
【００３８】
第２付勢部材１４２は、コイルスプリング等の弾性体である。第２付勢部材１４２は、支持部材１４０の拡径部１４０ｂ内に収容される。支持部材１４０には、操作部材６６のストッパ部６６ｃとの間に第２付勢部材１４２を挟み込むリング部材１４４が取り付けられる。第２付勢部材１４２は、操作部材６６のストッパ部６６ｃに作動位置から初期位置に押し戻す付勢力を付与する。
【００３９】
図９は、操作ユニット５４、弁機構１００の動作を説明するための図である。以上の操作ユニット５４では、図９（ａ）、（ｂ）に示すように、操作部材６６に作動方向Ｐｈの外力が付与されると、第２付勢部材１４２の付勢力に抗して、操作部材６６は初期位置から作動位置に向けて動かされる。操作部材６６に付与される外力を解除すると、図９（ｂ）、（ｃ）に示すように、第２付勢部材１４２の付勢力により、操作部材６６は作動位置から初期位置に向かう方向Ｐｉに押し戻される。
【００４０】
操作部材６６が初期位置から作動位置に移動すると、操作部材６６は弁体１０２を開弁方向Ｐｇ１に移動させる。操作部材６６が作動位置に移動して初期位置に押し戻される度に、位置保持機構１２０によって、開弁位置に弁体１０２が保持される開弁状態（図９（ｃ）参照）と、閉弁位置に弁体１０２が保持される閉弁状態（図９（ａ）参照）とが切り替えられる。
【００４１】
以上の吐水ヘッド１８の位置保持機構１２０は吐水ヘッド１８の突出部４８ではなく本体部４６に設けられる。よって、吐水ヘッド１８の突出部４８に位置保持機構１２０を設ける場合と比べ、その突出部４８に設けられる部品点数を削減できる。これにより、吐水ヘッド１８の突出部４８の長さや外径に関して小型化を図れる。
【００４２】
次に、吐水ヘッド１８の他の特徴を説明する。
図８を参照する。収納孔１０４は、弁体１０２の閉弁方向Ｐｇ２に開くとともに弁体１０２の開弁方向Ｐｇ１に底部がある有底孔である。弁体１０２は、弁体１０２の開閉方向Ｐｇの可動範囲での位置によらず、その一部が収納孔１０４内に収納される。収納孔１０４の内部空間は、閉弁方向Ｐｇ２の入口開口部１０４ｃ以外の箇所を通して通水路８２に直接に連通されていない。
【００４３】
これにより、通水路８２内の水圧が作用し難い奥まった箇所に弁体１０２の開弁方向Ｐｇ１の端面１０２ｃを配置できる。よって、開弁方向Ｐｇ１に弁体１０２を動かすうえで、通水路８２内の水圧により閉弁方向Ｐｇ２の力が弁体１０２に作用し難くなる。よって、操作部材６６により弁体１０２を作動させ易くなり、良好な操作性を得られる。
【００４４】
図１０は、図４のＢ−Ｂ線断面図である。図４、図１０に示すように、本実施形態の第１水路形成部材６０の外周面は円形状をなす。第１水路形成部材６０には、第１空洞としての通水路８２と、第２空洞としての収納孔１０４が形成される。通水路８２の下流側部分８２ｂは第１軸線方向Ｐｃに沿って形成され、収納孔１０４は第１軸線方向Ｐｃに沿って形成される。通水路８２の下流側部分８２ｂは、収納孔１０４より断面積が大きくなる。
【００４５】
通水路８２の中心Ｃｃ１や収納孔１０４の中心Ｃｃ２は、第１軸線方向Ｐｃに直交する断面において、第１水路形成部材６０の外形中心Ｃｃ０に対して偏心する。本実施形態では、通水路８２全体が外形中心Ｃｃ０に対して通水路８２の偏心方向Ｐｚ１にずれた位置に設けられる。収納孔１０４は外形中心Ｃｃ０を含むように設けられる。ここでの外形中心とは、第１水路形成部材６０の外周面がなす形状の重心をいう。また、ここでの偏心方向とは、第１水路形成部材６０の外形中心Ｃｃ０から言及している空洞（通水路８２、収納孔１０４）の中心に向かう方向をいう。また、本明細書での空洞（通水路８２、収納孔１０４）の中心とは、言及している構成要素の内周面がなす形状の重心をいう。
【００４６】
第１水路形成部材６０は、収納孔１０４と通水路８２を取り囲む外周壁部６０ｄと、収納孔１０４と通水路８２を隔てる隔壁部６０ｅとを有する。外周壁部６０ｄは、第１水路形成部材６０の外内を隔てており、第１水路形成部材６０の外形中心Ｃｃ０周りの全周に亘り連なる筒状をなす。隔壁部６０ｅの両端部６０ｈは外周壁部６０ｄに接続される。
【００４７】
第１水路形成部材６０には、第１軸線方向Ｐｃに直交する断面において、通水路８２及び収納孔１０４のそれぞれに対して、その通水路８２及び収納孔１０４の偏心方向Ｐｚ１、Ｐｚ２に閉断面の他の空洞が形成されない。詳しくは、第１水路形成部材６０には、通水路８２に対して通水路８２の偏心方向Ｐｚ１には他の空洞が形成されずに壁部のみが設けられる。また、第１水路形成部材６０には、収納孔１０４に対して収納孔１０４の偏心方向Ｐｚ２にも他の空洞が形成されずに壁部のみが設けられる。この利点を説明する。
【００４８】
図１１（ａ）は、第１参考例の第１水路形成部材６０を示す図である。本図では、第１水路形成部材６０の第１軸線方向Ｐｃに直交する断面を示す。本例の第１水路形成部材６０は、外周側の通水路８２と内周側の収納孔１０４が同心状に形成される二重筒構造である。通水路８２は、外周側の筒状の外周壁部６０ｄと内周側の筒状の隔壁部６０ｅの間に形成される。
【００４９】
図１１（ｂ）は、第２参考例の第１水路形成部材６０を示す図である。本例の第１水路形成部材６０は、図１０と同様、通水路８２及び収納孔１０４それぞれの中心Ｃｃ１、Ｃｃ２が、第１水路形成部材６０の外形中心Ｃｃ０に対して偏心している。また、第１水路形成部材６０には、通水路８２及び収納孔１０４のそれぞれに対して、その通水路８２及び収納孔１０４の偏心方向Ｐｚ１、Ｐｚ２に他の空洞が形成されていない。
【００５０】
この場合、前述の二重筒構造のように、収納孔１０４の中心Ｃｃ２周りの全周に亘り、外周壁部６０ｄとは別に隔壁部６０ｅを形成せずともよくなる。よって、二重筒構造を構成するうえで要していた隔壁部６０ｅの一部Ｓａを省けるようになる。これにより、前述の二重筒構造を構成する場合と比べ、第１水路形成部材６０の外径寸法を小型化しつつも、通水路８２、収納孔１０４の断面積を確保するように設計し易くなる。
【００５１】
なお、図１０に示すように、第１軸線方向Ｐｃに直交する断面において、収納孔１０４の偏心方向Ｐｚ２と直交する方向をＰｚ３とする。通水路８２の一部８２ｃは、収納孔１０４に対して方向Ｐｚ３の両側に設けられる。これにより、収納孔１０４に対して方向Ｐｃの箇所を有効に活用して通水路８２の断面積を拡大できる。
【００５２】
図４に示すように、隔壁部６０ｅは、収納孔１０４と通水路８２の下流側部分８２ｂを第１径方向Ｐｅに隔てる第１壁部６０ｆと、収納孔１０４と通水路８２の上流側部分８２ａを第１軸線方向Ｐｃに隔てる第２壁部６０ｇとを含む。第１水路形成部材６０の第２壁部６０ｇは障壁部８４が兼ねている。
【００５３】
次に、位置保持機構１２０の詳細を説明する。
図１２は、図８と同じ視点から見た弁体１０２や位置保持機構１２０の外観を示す図である。ハートカム機構となる位置保持機構１２０は、ハートカム部１２２と、カム溝１２４と、フォロアピン１２６と、ピン押さえ１２８と、第１付勢部材１３０とを有する。本実施形態のハートカム部１２２は、弁体１０２に設けられる。弁体１０２には平坦な側面部１０２ｅが設けられ（図１０も参照）、ハートカム部１２２は側面部１０２ｅに設けられる。ハートカム部１２２には、弁体１０２の閉弁方向Ｐｇ２を向く箇所に係合凹部１２２ａが形成される。係合凹部１２２ａは開弁方向Ｐｇ１に凹む。
【００５４】
カム溝１２４は、ハートカム部１２２の周りに形成されるループ部１２４ａと、ループ部１２４ａの開弁方向Ｐｇ１を向く箇所から弁体１０２の開弁方向Ｐｇ１に直線状に延びるストレート部１２４ｂとを有する。ループ部１２４ａは、ストレート部１２４ｂからハートカム部１２２の係合凹部１２２ａまで連なる往路部１２４ｃと、ハートカム部１２２の係合凹部１２２ａからストレート部１２４ｂまで連なる復路部１２４ｄとを有する。
【００５５】
フォロアピン１２６は、中間部１２６ｃの延びる向きとは異なる向きに両端部１２６ａ、１２６ｂを曲げて構成される。フォロアピン１２６の一端部１２６ａは、収納孔１０４の底部に配置されるピン押さえ１２８と収納孔１０４の底面１０４ｂの間に配置される。フォロアピン１２６の一端部１２６ａは、ピン押さえ１２８により第１水路形成部材６０に対する開閉方向Ｐｇでの変位が規制される。ピン押さえ１２８にはフォロアピン１２６の一端部１２６ａが回動可能に挿通される軸孔１２８ａが形成される。これにより、フォロアピン１２６の一端部１２６ａは、第１水路形成部材６０に対して回動可能に支持される。フォロアピン１２６の他端部１２６ｂはカム溝１２４内に差し込まれ、カム溝１２４に沿って摺動可能である。
【００５６】
第１付勢部材１３０は、弁体１０２を閉弁方向Ｐｇ２に付勢する。第１付勢部材１３０は、コイルスプリング等の弾性体である。第１付勢部材１３０は、弁体１０２の開弁方向Ｐｇ１側の端部とピン押さえ１２８との間に配置される。ピン押さえ１２８は、第１付勢部材１３０により収納孔１０４の底面１０４ｂに押し付けられ、フォロアピン１２６の一端部１２６ａとともに第１水路形成部材６０に対する開閉方向Ｐｇでの変位が規制される。
【００５７】
図１３は、位置保持機構１２０の動作を説明するための図である。まず、図１３（ａ）に示すように、フォロアピン１２６の他端部１２６ｂがカム溝１２４のストレート部１２４ｂ内に配置される場合を考える。この場合に、操作部材６６により弁体１０２が開弁方向Ｐｇ１に動かされてから第１付勢部材１３０により閉弁方向Ｐｇ２に動かされる一連の動作を経たときを考える。このとき、フォロアピン１２６の他端部１２６ｂは、カム溝１２４の往路部１２４ｃに沿って動くように方向Ｐｊ１にガイドされ、ハートカム部１２２の係合凹部１２２ａと係合する係合位置まで動かされる（図１３（ｂ）参照）。また、フォロアピン１２６の他端部１２６ｂが係合位置にある場合に、前述の一連の動作を経たときを考える。このとき、フォロアピン１２６の他端部１２６ｂは、カム溝１２４の復路部１２４ｄに沿って動くように方向Ｐｊ２にガイドされ、カム溝１２４のストレート部１２４ｂ内に戻される（図１３（ｃ）参照）。このとき、フォロアピン１２６の他端部１２６ｂのハートカム部１２２との係合は解除される。フォロアピン１２６の他端部１２６ｂがカム溝１２４のストレート部１２４ｂ内に配置される位置は、ハートカム部１２２との係合が解除される係合解除位置であると捉えられる。
【００５８】
図１３（ｂ）に示すように、フォロアピン１２６の他端部１２６ｂが係合位置にあるとき、フォロアピン１２６により弁体１０２の閉弁方向Ｐｇ２への動きが規制される。この結果、ストレート吐水用水路９２を開く開弁位置で弁体１０２が保持される開弁状態となる。一方、図１３（ａ）、（ｃ）に示すように、フォロアピン１２６の他端部１２６ｂが係合解除位置にあるとき、弁体１０２の閉弁方向Ｐｇ２への動きがフォロアピン１２６により規制されず、第１付勢部材１３０の付勢力によりストレート吐水用水路９２を閉じる閉弁位置に弁体１０２が動かされる。この結果、閉弁位置で弁体１０２が保持される閉弁状態となる。このように、位置保持機構１２０は、操作部材６６により弁体１０２が開弁方向Ｐｇ１に動かされる度に閉弁状態と開弁状態とが切り替わるように構成される。
【００５９】
吐水ヘッド１８の他の特徴を説明する。
図８、図１０に示すように、弁体１０２は、収納孔１０４に形成されるガイド部１０４ａに沿ってスライド可能なスライド部１０２ｄを有する。本実施形態のガイド部１０４ａは突条であり、スライド部１０２ｄはガイド部１０４ａが嵌め込まれる溝状をなす。弁体１０２は、ガイド部１０４ａに沿ってスライド部１０２ｄがスライドすることにより開閉方向Ｐｇにガイドされる。
【００６０】
本実施形態の弁座部１１２は、第２水路形成部材６２の基端側端面から環状に突き出る突条である。弁体１０２の閉弁方向Ｐｇ２側の端部には弾性部材１１６が取り付けられる。弁体１０２は、弾性部材１１６を介して弁座部１１２に着座することでストレート吐水用水路９２を閉じる。
【００６１】
図４を参照する。第２ケース部５０ｂの小内径部５０ｄ内には第２シール部材１４６が配置される。第２シール部材１４６は、小内径部５０ｄの内周面と操作部材６６の間をシールしており、第１ケース部５０ａ内の水路から第２ケース部５０ｂの大内径部５０ｃ内への水の流出を規制する。
【００６２】
操作部材６６の外力受け部６６ａは、吐水ヘッド１８の持ち手となる突出部４８の先端部から突き出ており、その外力受け部６６ａを押し込み操作することにより弁体１０２を動かせる。よって、吐水ヘッド１８の持ち手となる突出部４８を用いて、吐水ヘッド１８を装置本体１４から引き出し易くなる。また、吐水ヘッド１８の突出部４８を複数の指で握った状態のまま、他の指で操作部材６６を押し込み操作し易くなる。よって、吐水ヘッド１８を装置本体１４から引き出した状態にあるとき、操作部材６６を押し込んで吐水態様を切り替える操作を片手ででき、良好な使い勝手を得られる。
【００６３】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００６４】
水栓装置として機能する吐水装置１０は、使用者による切替操作を受け付ける操作受付部が物体検知センサ２４である例を説明した。この操作受付部は、手動の切替操作を受け付けるハンドル等でもよい。この場合、吐水装置１０は、ハンドル等に対する切替操作を受けて開閉弁４０を開閉することで、吐水状態と吐水停止状態の間で動作状態を切り替えてもよい。
【００６５】
吐水装置１０の装置本体１４は、吐水管２２を有する例を説明したが、これに限定されない。装置本体１４は、たとえば、ミラーキャビネット等を有してもよい。
【００６６】
吐水ヘッド１８は、吐水口４２から吐水流を吐き出し可能な吐水部品の一例として説明した。吐水部品は、吐水ヘッドに限定されるものではなく、たとえば、シャワーヘッド等でもよい。また、吐水部品はケース部材５０と水路形成部材６０、６２、６４を有する例を説明したが、ケース部材５０はなくともよい。
【００６７】
操作部材６６は突出部４８の一部として設けられる例を説明したが、突出部４８の全体を構成していてもよい。いずれにしても、操作部材６６は、突出部４８の少なくとも一部として設けられることになる。
【００６８】
位置保持機構１２０はハートカム機構である例を説明したが、その具体例は特に限られない。たとえば、位置保持機構１２０は、弁体１０２が開弁方向に動くたびに回転する回転カムを用いて構成されてもよい。この場合、回転カムの回転位置が変わることで、回転カムにより弁体１０２の変位を規制して開弁位置に弁体１０２を保持可能な開弁状態と、回転カムによる変位の規制が解除されて第１付勢部材１３０により閉弁位置に弁体１０２を保持可能な閉弁状態とが切り替え可能に構成されてもよい。
【００６９】
弁体１０２は、有底孔としての収納孔１０４内に収納され、通水路８２に開弁方向Ｐｇ１の端部が晒されない位置に配置される例を説明した。弁体１０２の配置箇所は特に限られず、通水路８２に開弁方向Ｐｇ１の端部が晒される位置に配置されてもよい。
【００７０】
吐水部品は、第１軸線方向Ｐｃに直交する断面において、第１水路形成部材６０の外周壁部６０ｄと隔壁部６０ｅが二重筒構造を構成してもよい。
【００７１】
位置保持機構１２０のハートカム部１２２は弁体１０２に設けられ、フォロアピン１２６の一端部１２６ａは本体部４６の一部となる第１水路形成部材６０に対して回動可能に支持される例を説明した。この他にも、ハートカム部１２２は本体部４６に設けられ、フォロアピン１２６の一端部１２６ａは弁体１０２に対して回動可能に支持されてもよい。つまり、ハートカム部１２２は本体部４６及び弁体１０２の一方に設けられ、フォロアピン１２６の一端部１２６ａは本体部４６及び弁体１０２の他方に対して回動可能に支持されていればよい。
【００７２】
弁機構１００の弁体１０２は吐水部品の水路を開閉することにより、吐水部品の吐水口４２から複数の吐水流を吐き出す第１態様と、単数の吐水流を吐き出す第２態様を切り替え可能である例を説明した。この第１吐水と第２態様の具体的な態様はこれらの組み合わせに限定されない。たとえば、第１態様では複数の吐水流を吐き出し、第２態様ではその吐き出しを停止してもよい。また、第１態様では単数の吐水流を吐き出し、第２態様ではその吐き出しを停止してもよい。
【００７３】
操作部材６６は押し込み操作により弁体１０２を作動可能である例を説明したが、引き出し操作等により弁体１０２を作動可能でもよい。
【００７４】
以上の実施形態、変形例により具体化される発明を一般化すると、以下の技術的思想が導かれる。以下、発明が解決しようとする課題に記載の態様を用いて説明する。
【００７５】
第２態様の吐水部品は、第１態様において、前記本体部には、前記弁機構を収納する収納孔が形成され、前記収納孔は、前記弁体を開閉方向にガイド可能であり、かつ、前記弁体の閉弁方向に開くとともに前記弁体の開弁方向に底部がある有底孔である。
この態様によれば、水路内の水圧が作用し難い水路に対して奥まった箇所に弁体の開弁方向の端面を配置できる。これにより、開弁方向に弁体を動かすうえで、水路内の水圧により閉弁方向の力が弁体に作用し難くなる。
【００７６】
第３態様の吐水部品は、第１または第２態様のいずれかにおいて、前記本体部は、軸線方向に延びる水路形成部材を有し、前記水路形成部材には、水路となる第１空洞が形成されるとともに前記弁機構を収納する第２空洞が形成され、前記第１空洞及び前記第２空洞のそれぞれの中心は、前記水路形成部材の前記軸線方向に直交する断面において、前記水路形成部材の外形中心に対して偏心し、前記水路形成部材には、前記第１空洞及び前記第２空洞のそれぞれに対して、その空洞が前記外形中心から偏心する方向に他の空洞が形成されていなくともよい。
この態様によれば、第１空洞と第２空洞が同心状の二重筒構造を構成する場合と比べ、二重筒構造を構成するうえで要する壁部の一部を省けるようになる。これにより、水路形成部材が二重筒構造を構成する場合と比べ、水路形成部材を小型化しつつも、通水路、収納孔の断面積を確保するように設計し易くなる。
【００７７】
第４態様の吐水部品は、第１から第３態様のいずれかにおいて、前記位置保持機構は、前記本体部及び前記弁体の一方に設けられるハートカム部と、前記ハートカム部の周りに形成されるカム溝と、前記本体部及び前記弁体の他方に対して一端部が回動可能に支持され、前記カム溝に沿って他端部が摺動可能なフォロアピンと、前記弁体を閉弁方向に付勢する付勢部材とを有し、前記操作部材により前記弁体が開弁方向に動かされる度に、前記フォロアピンの他端部が前記ハートカム部と係合する係合位置と、前記フォロアピンの他端部の前記ハートカム部との係合が解除される係合解除位置との間を移動することによって、前記閉弁状態と前記開弁状態を切り替え可能であってもよい。
【００７８】
第５態様は水栓装置である。第５態様の水栓装置は、第１から第４態様のいずれかの吐水部品を備える。
【符号の説明】
【００７９】
４２…吐水口、４６…本体部、４８…突出部、６０…水路形成部材、６０ｄ…外周壁部、６０ｅ…隔壁部、６６…操作部材、１００…弁機構、１０２…弁体、１０４…収納孔、１２０…位置保持機構、１２２…ハートカム部、１２４…カム溝、１２６…フォロアピン。
【図１】
2019027259.tif 000003
【図２】
2019027259.tif 000004
【図３】
2019027259.tif 000005
【図４】
2019027259.tif 000006
【図５】
2019027259.tif 000007
【図６】
2019027259.tif 000008
【図７】
2019027259.tif 000009
【図８】
2019027259.tif 000010
【図９】
2019027259.tif 000011
【図１０】
2019027259.tif 000012
【図１１】
2019027259.tif 000013
【図１２】
2019027259.tif 000014
【図１３】
2019027259.tif 000015